(57)【要約】【課題】  竜頭を巻真とともに時計ムーブメントから外すための構成が、文字板の大きさに対する制約因子、及び時計外装組立の周部を視覚的に薄く見せるデザインを損なう因子とならないようにした携帯時計を提供する。【解決手段】  ケース底壁とケース胴部22が一体に作られたワンピース構造の外装ケース21を備え、ケース21の周部裏面にテーパ面が形成された時計外装組立12に、時計ムーブメント13を内蔵する。ストッパ係合部32を有してムーブメント13に側方から挿脱可能に接続される巻真31を、外装組立12にこの組立の厚み方向と交叉する方向に移動可能に内蔵する。巻真31に接続する竜頭35を胴部22に側方から取外し可能とする。係合部32に係脱可能なストッパ部材41を外装組立12に内蔵する。外装組立12の厚み方向と交叉する方向に移動して部材41を連動し、部材41を係合部32に係脱させる係脱操作体45を備え、この操作体45をケース胴部22の側方から操作可能にケース胴部22に設ける。【選択図】  図１
2008026258.tif 000002
【特許請求の範囲】
【請求項１】
ケース底壁とケース胴部が一体に作られたワンピース構造の外装ケースを備え、この外装ケースの周部裏面にテーパ面が形成された時計外装組立と、
この時計外装組立に内蔵された文字板付き時計ムーブメントと、
この時計ムーブメントに側方から挿脱可能に接続されるとともに、前記時計外装組立にこの外装組立の厚み方向と交叉する方向に移動可能に内蔵され、かつ、ストッパ係合部を有したムーブメント連動軸と、
この連動軸に接続して前記ケース胴部に側方から取外し可能に取付けられた外部操作体と、
前記時計外装組立に内蔵されたストッパ部材と、
前記ケース胴部の側方から操作可能に前記ケース胴部に設けられ、前記時計外装組立の厚み方向と交叉する方向に移動して前記ストッパ部材を連動しこのストッパ部材を前記ストッパ係合部に係脱させる係脱操作体と、
を具備した携帯時計。
【請求項２】
ケース底壁とケース胴部が一体に作られたワンピース構造の外装ケースを備え、この外装ケースの周部裏面にテーパ面が形成された時計外装組立と、
この時計外装組立に内蔵された文字板付き時計ムーブメントと、
この時計ムーブメントに側方から挿脱可能に接続されるとともに、前記時計外装組立にこの外装組立の厚み方向と交叉する方向に移動可能に内蔵され、かつ、ストッパ係合部を有した巻真と、
この巻真に接続して前記ケース胴部に側方から取外し可能に取付けられた竜頭と、
前記時計外装組立に内蔵されたストッパ部材と、
前記ケース胴部の側方から操作可能に前記ケース胴部に設けられ、前記時計外装組立の厚み方向と交叉する方向に移動して前記ストッパ部材を連動しこのストッパ部材を前記ストッパ係合部に係脱させる係脱操作体と、
を具備した携帯時計。
【請求項３】
前記ケース胴部が、前記外装ケースの内部に寄せて設けられた小径孔部とこの小径孔部に連通して前記外装ケースの外部に寄せて設けられた大径孔部とからなるとともに前記小径孔部の内面に雌ねじ部が形成された操作体取付け孔を有し、
前記係脱操作体が、軸部と、この軸部の中間部外周に設けられた雄ねじ部と、前記軸部の一端部により作られて前記ストッパ部材を押圧可能な先細り状先端部と、前記軸部の他端部に設けられたフランジ部とから形成されているとともに、前記軸部の他端部にこの軸部を回転させる操作部を有し、
前記雄ねじ部を前記雌ねじ部に螺合させて前記軸部を前記小径孔部に貫通させるとともに前記フランジ部を前記大径孔部内に配設して、前記係脱操作体が前記ケース胴部に取付けられていて、前記大径孔部に配置された付勢部材で前記係脱操作体を前記ケース胴部の外部に向けて付勢した請求項１又は２に記載の携帯時計。
【請求項４】
前記小径孔部と大径孔部との境に形成された段部に前記付勢部材で押付けられる防水リングが配置され、この防水リングの内周面を前記雄ねじ部とフランジ部と間の軸部分の外周に接触させた請求項３に記載の携帯時計。
【請求項５】
前記ケース胴部が、前記外装ケースの内部に寄せて設けられた小径孔部とこの小径孔部に連通して前記外装ケースの外部に寄せて設けられた大径孔部とからなる操作体取付け孔を有し、
前記係脱操作体が、軸部と、この軸部の一端部により作られて前記ストッパ部材を押圧可能な先細り状先端部と、前記軸部の他端部に設けられたフランジ部と、前記先細り状先端部の根元に取付けられて前記ケース胴部の胴内面に係合可能な止め輪とから形成され、
前記軸部を前記小径孔部に貫通させて前記先細り状先端部及び止め輪を前記ケース胴部の内部に配置させるとともに前記フランジ部を前記大径孔部内に配設して、前記係脱操作体が前記ケース胴部に取付けられていて、前記大径孔部に配置された付勢部材で前記係脱操作体を前記ケース胴部の外部に向けて付勢した請求項１又は２に記載の携帯時計。
【請求項６】
前記軸部の外周に防水リングが取付けられ、このリングの外周面を前記小径孔部に摺動可能に接触させた請求項５に記載の携帯時計。
【請求項７】
前記止め輪が前記胴内面に引っ掛かっている状態で、前記フランジ部を、前記ケース胴部の胴外面に対し前記小径孔部と大径孔部との境に形成された段部方向に寄せて配置した請求項６に記載の携帯時計。
【発明の詳細な説明】
【技術分野】
【０００１】
本発明は、時計外装組立の外装ケースがワンピース構造をなす腕時計や懐中時計などの携帯時計に関する。
【背景技術】
【０００２】
外装ケースがワンピース構造の腕時計は、時計外装組立が裏蓋を有さないから、時計外装組立の周部裏面側をテーパ状として、視覚的に時計外装組立の周部を薄く見せるデザインとする場合に有利である。
【０００３】
この種の腕時計では、裏蓋がある腕時計と同様に修理等のために、外装ケース内の時計ムーブメントから巻真等のムーブメント連動軸を外す工夫が設けられている。
【０００４】
この種の工夫として、従来、時計ムーブメントの地板に取付けられたおしどり軸におしどりを回転可能に支持し、このおしどりにおしどりレバーの一端部を重ねて配置している。おしどりレバーの他端部は、時計ムーブメントの文字板の外形から平面的に突出して、文字板の周縁と外装カバーが有した縁部材の文字板周縁に対向した環状面との間に形成された環状の隙間に配置されている。このおしどりレバーの他端部は、時計外装組立のガラスを支持した縁部材で覆われていて、縁部材を外すことにより操作可能に露出される。そして、露出させたおしどりレバーの他端部を時計外装組立の正面側から裏面側に向けてピンセットなどで押下げて、おしどりレバーを傾けるに伴っておしどりを動かすことができる。この時のおしどりの動きによって、そのストッパ部が巻真の係合部から外れて、巻真の保持が解除される。したがって、この状態で竜頭を介して巻真を引き抜くことができる（例えば、特許文献１参照。）。
【０００５】
従来、この外に、ワンピース構造の外装ケースのケース底壁に、回転操作により時計外装組立の厚み方向に移動される進退部材を有した係脱操作体を設け、おしどりピンと通称される可動軸を進退部材に連動させて、おしどりレバーと通称されて可動軸に支持された係合部材を動かす工夫が知られている。この工夫では、進退部材を時計外装組立の裏面側から正面側に向けて移動させることで、係合部材のストッパ部を巻真の溝から外せるので、この状態で竜頭を介して巻真を引き抜くことができる（例えば、特許文献２参照。）。
【特許文献１】特許第３２１３８９２号公報（段落0002−0005、図１−図６）
【特許文献２】特開２００５−２６５７５５号公報（段落0018−0041、図１−図７）
【発明の開示】
【発明が解決しようとする課題】
【０００６】
おしどりレバーの操作部である他端部を文字板の外形から平面的に突出させる必要がある特許文献１の技術では、時計外装組立の外形を大きくしない限り、おしどりレバーによって文字板の大きさ（見切り径）が制約を受ける、という問題がある。
【０００７】
こうした問題を改善できる特許文献２の技術では、次の問題がある。すなわち、ワンピース構造の外装ケースのケース底壁に取付けられた係脱操作体は、ケース底壁を厚み方向に貫通した収容孔に収容されて外部から回転操作される操作部材と、この部材の上部に螺合されて収容孔で回り止めされるとともに外装ケース内に上向きに突出された進退部材とを備え、収容孔での防水を確保する防水パッキンが操作部材に取付けられている。
【０００８】
そのため、操作部材の長さには、防水保証のための寸法分、つまり、防水パッキンの厚み寸法が加味されている。そして、この操作部材を収容するケース底壁の収容孔の高さ寸法は、操作部材の長さ分の他に、進退部材のストローク寸法を考慮して定められ、こうした寸法の積み上げに応じた高さで収容孔が形成される。これにより、ケース底壁の厚みが比較的厚めになるので、外装ケースがワンピース構造である利点、つまり、時計外装組立の周部を視覚的に薄く見せるデザインとする効果を十分に発揮させる上では不利である。
【０００９】
更に、自動巻きの腕時計には、時計ムーブメントの底面部に平面形状が例えば略銀杏の葉の形をした回転錘が取付けられていて、それが垂直軸周りに回転されることで時計ムーブメントを駆動するエネルギーを得ている。このような腕時計では、係脱操作体の進退部材と回転錘との干渉を避けるため、回転錘の回転軌跡から外れた領域、つまり、外装ケースのケース胴部により近い位置に係脱操作体を配置する必要がある。したがって、ケース底壁の肉厚が厚い部位がケース胴部に近付けられるので、時計外装組立の周部を視覚的に薄く見せるデザインとする効果を十分に発揮させる上では不利である。
【００１０】
本発明の目的は、竜頭等の外部操作体を巻真等のムーブメント連動軸とともに時計ムーブメントから外すための構成が、文字板の大きさに対する制約因子、及び時計外装組立の周部を視覚的に薄く見せるデザインを損なう因子とならないようにした携帯時計を提供することにある。
【課題を解決するための手段】
【００１１】
前記課題を解決するために、本発明は、ケース底壁とケース胴部が一体に作られたワンピース構造の外装ケースを備え、この外装ケースの周部裏面にテーパ面が形成された時計外装組立と、この時計外装組立に内蔵された文字板付き時計ムーブメントと、この時計ムーブメントに側方から挿脱可能に接続されるとともに、前記時計外装組立にこの外装組立の厚み方向と交叉する方向に移動可能に内蔵され、かつ、ストッパ係合部を有したムーブメント連動軸と、この連動軸に接続して前記ケース胴部に側方から取外し可能に取付けられた外部操作体と、前記時計外装組立に内蔵されたストッパ部材と、前記ケース胴部の側方から操作可能に前記ケース胴部に設けられ、前記時計外装組立の厚み方向と交叉する方向に移動して前記ストッパ部材を連動しこのストッパ部材を前記ストッパ係合部に係脱させる係脱操作体と、を具備している。
【００１２】
この発明で、外部操作体とは、例えば竜頭で代表されるものであって、例えば時刻合わせ、日付合わせ等のために、時計ムーブメントを時計外装組立の外部でかつ側方から操作する部材を指している。この発明で、ムーブメント連動軸とは、例えば巻真で代表されるものであって、外部操作体の操作を、時計ムーブメントに例えば時刻合わせ等のために伝える部材を指している。又、この発明及び以下の発明で、時計外装組立の厚み方向と交叉する方向は、好ましくは時計外装組立の半径方向に設定できるが、これには制約されない。
【００１３】
又、前記課題を解決するために、本発明は、ケース底壁とケース胴部が一体に作られたワンピース構造の外装ケースを備え、この外装ケースの周部裏面にテーパ面が形成された時計外装組立と、この時計外装組立に内蔵された文字板付き時計ムーブメントと、この時計ムーブメントに側方から挿脱可能に接続されるとともに、前記時計外装組立にこの外装組立の厚み方向と交叉する方向に移動可能に内蔵され、かつ、ストッパ係合部を有した巻真と、この巻真に接続して前記ケース胴部に側方から取外し可能に取付けられた竜頭と、前記時計外装組立に内蔵されたストッパ部材と、前記ケース胴部の側方から操作可能に前記ケース胴部に設けられ、前記時計外装組立の厚み方向と交叉する方向に移動して前記ストッパ部材を連動しこのストッパ部材を前記ストッパ係合部に係脱させる係脱操作体と、を具備している。
【００１４】
これらの発明では、例えば巻真に代表されるムーブメント連動軸に接続された例えば竜頭に代表される外部操作体と同様に、係脱操作体が、ワンピース構造の外装ケースのケース底壁ではなくケース胴部に設けられているので、時計外装組立の厚み方向に沿う操作によらずして、ケース胴部の外部でかつ側方から係脱操作体を操作して、ストッパ部材を動かすことができる。
【００１５】
詳しくは、これらの発明で、携帯時計を分解する際、例えば巻真に代表されるムーブメント連動軸を時計ムーブメントから外すには、係脱操作体を、ワンピース構造の外装ケースのケース胴部の外部から操作して時計ムーブメントに向けて移動させればよい。それに連動して係脱操作体がストッパ部材を動かすので、このストッパ部材が例えば巻真に代表されるムーブメント連動軸のストッパ係合部から外されて、巻真に代表されるムーブメント連動軸を動かないように保持した状態が解除される。したがって、この状態で、例えば竜頭に代表される外部操作体を掴んで外装ケースの外部に引き出すことによって、巻真に代表されるムーブメント連動軸を、時計ムーブメントから引き外すとともにケース胴部に通して外部に引き出すことができる。
【００１６】
そして、以上のように外装ケースが有したケース胴部の外部でかつ側方から係脱操作体を操作できるので、文字板に対する係脱操作体及びストッパ部材の配置上の制約がない。そのため、竜頭等の外部操作体を巻真等のムーブメント連動軸とともに時計ムーブメントから外すための構成が、文字板の大きさに対する制約因子となることがない。
【００１７】
更に、時計外装組立の半径方向に沿うケース胴部の肉厚は、巻真に代表されるムーブメント連動軸及び竜頭に代表される外部操作体を配置する必要から、ケース底壁の厚みに比較して十分厚く形成されている。そのため、ケース胴部に係脱操作体を取付けるための肉厚を、ケース胴部に格別確保する必要がなく、時計外装組立の径が大きくならない。そして、外部操作体の前記配置により、ケース底壁に外部操作体を設ける場合に比較して、ケース底壁の肉厚を薄くできるとともに、自動巻きの携帯時計に適用した場合に、その回転錘と係脱操作体とが干渉する恐れもない。そのため、竜頭等の外部操作体を巻真等のムーブメント連動軸とともに時計ムーブメントから外すための構成が、時計外装組立の周部を視覚的に薄く見せるデザインを損なう因子とならないようにできる。
【００１８】
本発明の好ましい形態では、前記ケース胴部が、前記外装ケースの内部に寄せて設けられた小径孔部とこの小径孔部に連通して前記外装ケースの外部に寄せて設けられた大径孔部とからなるとともに前記小径孔部の内面に雌ねじ部が形成された操作体取付け孔を有し、前記係脱操作体が、軸部と、この軸部の中間部外周に設けられた雄ねじ部と、前記軸部の一端部により作られて前記ストッパ部材を押圧可能な先細り状先端部と、前記軸部の他端部に設けられたフランジ部とから形成されているとともに、前記軸部の他端部にこの軸部を回転させる操作部を有し、前記雄ねじ部を前記雌ねじ部に螺合させて前記軸部を前記小径孔部に貫通させるとともに前記フランジ部を前記大径孔部内に配設して、前記係脱操作体が前記ケース胴部に取付けられていて、前記大径孔部に配置された付勢部材で前記係脱操作体を前記ケース胴部の外部に向けて付勢している。
【００１９】
この発明の好ましい形態では、ケース胴部に螺合された係脱操作体を付勢部材で付勢することで、ケース胴部への係脱操作体の螺合状態を保持しているので、時計に振動や衝撃が加わっても、或いはフランジ部が不用意に胴内側に押されても、時計ムーブメントに向けて係脱操作体が移動することが抑制される。このため、携帯時計の分解を意図するとき以外は、係脱操作体の先細り状先端部でストッパ部材が押されることがなく、したがって、巻真に代表されるムーブメント連動軸が不用意に外れないようにできる。
【００２０】
又、本発明の好ましい形態では、前記小径孔部と大径孔部との境に形成された段部に前記付勢部材で押付けられる防水リングが配置され、この防水リングの内周面を前記雄ねじ部とフランジ部と間の軸部分の外周に接触させている。
【００２１】
この発明の好ましい形態では、段差及び係脱操作体の軸部分に対する防水リングの接触が付勢部材の付勢力で強められて、操作体取付け孔についての防水をより確実に保証できる。
【００２２】
又、本発明の好ましい形態では、前記ケース胴部が、前記外装ケースの内部に寄せて設けられた小径孔部とこの小径孔部に連通して前記外装ケースの外部に寄せて設けられた大径孔部とからなる操作体取付け孔を有し、前記係脱操作体が、軸部と、この軸部の一端部により作られて前記ストッパ部材を押圧可能な先細り状先端部と、前記軸部の他端部に設けられたフランジ部と、前記先細り状先端部の根元に取付けられて前記ケース胴部の胴内面に係合可能な止め輪とから形成され、前記軸部を前記小径孔部に貫通させて前記先細り状先端部及び止め輪を前記ケース胴部の内部に配置させるとともに前記フランジ部を前記大径孔部内に配設して、前記係脱操作体が前記ケース胴部に取付けられていて、前記大径孔部に配置された付勢部材で前記係脱操作体を前記ケース胴部の外部に向けて付勢している。
【００２３】
この発明の好ましい形態では、止め輪がケース胴部の胴内面に引っ掛かるように係脱操作体を付勢部材で付勢している。このため、巻真に代表されるムーブメント連動軸のストッパ係合部からストッパ部材を外す解除位置に係脱操作体が押込み操作された後に、その押込み力を消失させると、止め輪がケース胴部の胴内面に引っ掛かる位置に、付勢部材の付勢力で自動的に係脱操作体を戻すことができる。
【００２４】
又、本発明の好ましい形態では、前記軸部の外周に防水リングが取付けられ、このリングの外周面を前記小径孔部に摺動可能に接触させている。
【００２５】
この発明の好ましい形態では、防水リングによって、操作体取付け孔についての防水を保証できる。
【００２６】
又、本発明の好ましい形態では、前記止め輪が前記胴内面に引っ掛かっている状態で、前記フランジ部を、前記ケース胴部の胴外面に対して前記小径孔部と大径孔部との境に形成された段部方向に寄せて配置している。
【００２７】
この発明の好ましい形態では、止め輪がケース胴部の胴内面に引っ掛かる位置に係脱操作体が配置されている状態で、フランジ部がケース胴部の胴外面に対して陥没するように設けられているので、係脱操作体が不用意に胴内側に押されて、時計ムーブメントに向けて係脱操作体が移動することが抑制され、したがって、巻真に代表されるムーブメント連動軸が不用意に外れないようにできる。
【発明の効果】
【００２８】
本発明によれば、巻真等のムーブメント連動軸のストッパ係合部からストッパ部材を外すためにこのストッパ部材を動かす係脱操作体を、ワンピース構造の外装ケースが有したケース胴部の外部でかつ側方から操作できるので、竜頭等の外部操作体を巻真等のムーブメント連動軸とともに時計ムーブメントから外すための構成が、文字板の大きさに対する制約因子、及び時計外装組立の周部を視覚的に薄く見せるデザインを損なう因子とならないようにした携帯時計を提供できる。
【発明を実施するための最良の形態】
【００２９】
図１〜図４を参照して本発明の第１実施形態を説明する。
【００３０】
図１中符号１１は携帯時計としての腕時計を示している。この腕時計１１は、時計外装組立１２を備え、この時計外装組立１２に時計ムーブメント１３等が内蔵されている。なお、図１中符号１５は時計バンド等の取付け部材を示しており、この取付け部材１５によって人体の腕に腕時計１１が取付けられる。
【００３１】
時計ムーブメント１３は、ムーブメント本体１３ａと、このムーブメント本体１３ａの表面を覆った文字板１３ｂを備えている。ムーブメント本体１３ａは、小型電池やぜんまいを動力にしたもの、又は文字板１３ｂと反対側にムーブメント本体１３ａを間に置いて配置される回転錘を有した自動巻きのもの、若しくはクォーツ発振モジュールにより文字板１３ｂ上で時刻等をデジタル表示するデジタル時計対応のもの、或いはデジタル時計対応のものとそれ以外のものとを併用したもの等のいずれであってもよい。文字板１３ｂは、ムーブメント本体１３ａより大きく、文字板１３ｂの周部は図２、図３に示すようにムーブメント本体１３ａの外周より側方にはみ出している。なお、符号１４は時計ムーブメント１３によって動かされる時計の針を示している。
【００３２】
図２及び図３に示すように時計外装組立１２は、外装ケース２１とこれに装着された外装カバー２５とを備えている。
【００３３】
外装ケース２１は、凹状のワンピース構造をなしていて、環形例えば円環形のケース胴部２２と、このケース胴部２２の裏側開口を閉じて一体に設けられたケース底壁２３とで作られている。ケース胴部２２の時計外装組立１２の半径方向に沿う肉厚Ａは、ケース底壁２３の時計外装組立１２の厚み方向に沿う肉厚Ｂよりも数倍以上厚い。
【００３４】
外装ケース２１の周部裏面には周方向に環状に連続するテーパ面２１ａが形成されている。このテーパ面２１ａによって、時計外装組立１２の周部が薄くなるから、腕時計１１全体が薄型であるような視認させるデザイン的印象を与えることができる。
【００３５】
外装ケース２１は、硬質合成樹脂を一体成形することで得てもよく、あるいはステンレスやチタン等の金属を削って得てもよい。時計ムーブメント１３は外装ケース２１にその正面開口を通して収容される。なお、図２及び図３中符号１６は外装ケース２１に固定された中枠を示しており、この中枠１６によって時計ムーブメント１３が外装ケース２１内の所定位置に支持されている。
【００３６】
外装カバー２５は、透明ガラス及び透明合成樹脂等からなる透明部材２６と、この透明部材２６の周縁部を支持した環状の縁部材２７とを有している。縁部材２７をケース胴部２２に装着することにより、透明部材２６が文字板１３ｂを覆って時計外装組立１２が組立てられている。
【００３７】
図１に示すようにムーブメント連動軸例えば巻真３１が、時計外装組立１２にこの時計外装組立１２の厚み方向と直交する方向例えば時計外装組立１２の半径方向に沿って移動可能に内蔵されている。巻真３１はムーブメント本体１３ａにその側方から挿脱可能に接続されている。巻真３１は、その軸方向中間部にストッパ係合部３２を有している。ストッパ係合部３２は巻真３１の周方向に連続する環状溝で形成されている。ストッパ係合部３２は、巻真３１がムーブメント本体１３ａに挿入して接続された状態で、ムーブメント本体１３ａの外部に位置される。
【００３８】
図１中符号３１ａはストッパ係合部３２に隣接して設けられた円錐台状部を示している。この円錐台状部３１ａは、ムーブメント本体１３ａ側に配置された巻真３１の一端側に向かうに従い次第に径が小さくなるように作られている。
【００３９】
巻真３１の他端部はケース胴部２２に設けた巻真通孔３４に挿入されている。巻真通孔３４は、時計外装組立１２の厚み方向と直交する方向例えば時計外装組立１２の半径方向に沿ってケース胴部２２を貫通して形成されている。この巻真通孔３４を通って巻真３１は時計外装組立１２の外部に引き出し可能である。
【００４０】
外部操作体として例えば竜頭３５が巻真３１の他端部に接続されている。竜頭３５の大部分はケース胴部２２の外部に配置されている。竜頭３５は、ケース胴部２２に、このケース胴部２２の外部でかつ側方から取外し可能に設けられている。この竜頭３５を所定距離引き出した状態で回転させることにより、この回転を、巻真３１を介してムーブメント本体１３ａに伝えて、時刻合わせなどを行うことができるようになっている。なお、図１中符号３６は巻真３１の他端部に装着されて巻真通孔３４に摺動されるリング形の防水パッキンで、この防水パッキン３６により巻真通孔３４に対する防水と防塵が図られている。
【００４１】
図１に示すようにムーブメント本体１３ａの外部に位置するストッパ部材４１が時計外装組立１２に内蔵されている。ストッパ部材４１は、その中間部を支持した軸４２に沿って上下方向に移動可能で、かつ、この軸４２を中心とする回転角度を所定角度に制限されて設けられている。ストッパ部材４１及び軸４２は好ましい例として巻真３１の近傍に配置されている。
【００４２】
ストッパ部材４１はおしどりレバーとも通称されているものである。このストッパ部材４１は、例えばその一端部からなる受動部４１ａと、他端部からなる係合部４１ｂを有している。係合部４１ｂはストッパ係合部３２に係脱される部分である。これらが図１に示すように係合状態にあるときに、ストッパ部材４１は、外装ケース２１の外部への巻真３１の引抜を妨げるとともに、時刻合わせ等に際して竜頭３５が引き動かされることは許容できるようになっている。
【００４３】
ストッパ係合部３２に対する係合部４１ｂの係合(引っ掛かり)を解除する動きをストッパ部材４１に与える係脱操作体４５がケース胴部２２に取付けられている。
【００４４】
すなわち、例えば巻真通孔３４の近傍に位置してケース胴部２２には操作体取付け孔５１が設けられている。操作体取付け孔５１は、時計外装組立１２の厚み方向と直交する方向例えば時計外装組立１２の半径方向に沿ってケース胴部２２を貫通している。図２及び図３に示すように操作体取付け孔５１は、小径孔部５１ａとこれに連通された大径孔部５１ｂとを有した段付き孔からなり、これら小径孔部５１ａと大径孔部５１ｂとの間にはこれらの境をなす段部５１ｃが形成されている。
【００４５】
小径孔部５１ａは、外装ケース２１の内部に寄せて設けられ、この内部に開放されている。大径孔部５１ｂ、外装ケース２１の外部に寄せて設けられ、外装ケース２１の外部に開放されている。小径孔部５１ａの段部５１ｃ寄りの内面は、小径孔部５１ａ内に突出されていて、その部分に雌ねじ部５１ｄが形成されている。
【００４６】
ストッパ部材４１を従動させる係脱操作体４５は、ムーブメント連動軸である巻真３１を時計ムーブメント１３に対して側方から挿脱することを可能とする連動軸着脱機構例えば巻真着脱機構を、ストッパ部材４１とともになしている。この係脱操作体４５は、金属又は合成樹脂製であって、図４等に示すように軸部４５ａ、雄ねじ部４５ｂ、先細り状先端部４５ｃ、フランジ部４５ｄ、及び操作部４５eを有している。
【００４７】
軸部４５ａは雌ねじ部５１ｄの内側を貫通できる直径を有した直ぐな軸からなる。雄ねじ部４５ｂは、雌ねじ部５１ｄの長さと略同じ長さで軸部４５ａの中間部外周に形成されていて、雌ねじ部５１ｄに着脱可能に螺合される。先細り状先端部４５ｃは、軸部４５ａの一端部により作られていて、例えば円錐状に形成されている。フランジ部４５ｄは、軸部４５ａの他端部にその外周から張り出して形成されている。フランジ部４５ｄの直径は大径孔部５１ｂの径より僅かに小さい。操作部４５eは、フランジ部４５ｄに設けられていて、例えば、フランジ部４５ｄを横切るすり割り溝で形成されている。この操作部４５eに工具に先端を挿入して係脱操作体４５は回転操作されるようになっている。
【００４８】
図２および図３に示すように係脱操作体４５は、その雄ねじ部４５ｂを雌ねじ部５１ｄに螺合させて、軸部４５ａを小径孔部５１ａに貫通させるとともに、フランジ部４５ｄを大径孔部５１ｂ内に配置して、ケース胴部２２に取付けられている。この係脱操作体４５を回転させて雌ねじ部５１ｄとの噛み合いを変化させることにより、係脱操作体４５は時計外装組立１２の半径方向に沿い図２に示された第１位置（待機位置）と図３に示された第２位置（解除位置）とにわたって往復移動される。
【００４９】
第１位置に係脱操作体４５が配置された状態は、通常の配置状態である。この状態では係脱操作体４５の先細り状先端部４５ｃが、ストッパ部材４１の受動部４１ａに近接して対向されているとともに、フランジ部４５ｄが大径孔部５１ｂから外部に突出しないようになっている。係脱操作体４５が第２位置に配置された状態は、腕時計１１を分解する際に選択される。この場合には、係脱操作体４５の先細り状先端部４５ｃが、受動部４１ａを上又は下方向に押して、例えばストッパ部材４１を押上げるようになっている。
【００５０】
段部５１ｃには弾性変形が可能な防水リング５５が配置されていて、防水リング５５の内周面は雄ねじ部４５ｂとフランジ部４５ｄとの間に軸部分の外周に接触されている。この防水リング５５により操作体取付け孔５１周りの防水・防塵が図られている。防水リング５５にはばね受けリング５６が重ねられていて、このばね受けリング５６とフランジ部４５ｄとの間には、付勢体として例えばコイルばね５７が弾性変形した状態を維持して挟まれている。したがって、係脱操作体４５は大径孔部５１ｂに配置されたコイルばね５７によって、時計ムーブメント１３から離れるように外装ケース２１の外部に向けて付勢されている。コイルばね４５の力をばね受けリング５６を介して防水リング５５に伝達することで、段部５１ｃ及び軸部４５ａへの防水リング５５の接触をより確実にできる。
【００５１】
腕時計１１が携帯される通常状態での係脱操作体４５とストッパ部材４１との相互関係は図２に示されている。この状態では、係脱操作体４５の軸部４５ａはストッパ部材４１の受動部４１ａから離れた状態を維持していて、ストッパ部材４１はその自重等で下がった位置にあるので、ストッパ部材４１の係合部４１ｂが巻真３１のストッパ係合部３２に例えば上方から嵌り込んで引っ掛かっている。それにより、巻真３１は引き出し方向には動かないようにストッパ部材４１で保持されている。
【００５２】
時刻合わせなどの竜頭操作を行う場合には、まず、竜頭３５を介して巻真３１を、一段引き出してから竜頭３５を回転操作すればよい。これにより、竜頭３５の回転を、巻真３１を介してムーブメント本体１３ａに与えて、時刻合わせなどをすることができる。なお、この時、ストッパ部材４１は巻真３１の軸方向変位に追従して軸４２を中心に僅かに回動するが、依然として係合部４１ｂは巻真３１のストッパ係合部３２に嵌り込んで引っ掛かったままである。
【００５３】
又、腕時計１１を分解する際、時計ムーブメント１３から巻真３１を引き外す場合には、外装ケース２１の外側から係脱操作体４５の操作部４５ｅに工具を挿入して、係脱操作体４５をねじ込み方向に回転させる。それによる係脱操作体４５の雄ねじ部４５ｂとケース胴部２２の雌ねじ部５１ｄとの噛み合いの変化に基づいて、係脱操作体４５が時計ムーブメント１３に向けて移動される。この移動は、図３に示すように雌ねじ部５１ｄを雄ねじ部４５ｂが挿通した直後に、軸部４５ａの先細り状先端部４５ｃがムーブメント本体１３ａの外側面に当たることで停止され、かつ、作業者に知覚される。この状態では、コイルばね５７のばね力が強められているが、雌ねじ部５１ｄに雄ねじ部４５ｂが引っ掛かっているので、係脱操作体４５が抜けることはない。
【００５４】
そして、以上の係脱操作体４５の押込みに操作よって、軸部４５ａの先細り状先端部４５ｃがストッパ部材４１の受動部４１ａを押して、ストッパ部材４１全体が上げられるため、ストッパ部材４１の係合部４１ｂが巻真３１のストッパ係合部３２から外される。したがって、こうして巻真３１の軸方向に対する動きの拘束が解除された状態で、巻真３１を竜頭３５とともに引き動かすことによって、巻真３１をムーブメント本体１３ａから離脱させるとともに、巻真通孔３４に通して外装ケース２１の外部に引き出すことができる。こうした巻真３１の引き外しは、外装カバー２５を外す前のコンプリート状態であっても、外装カバー２５を外した状態でも実施できる。
【００５５】
なお、この後に、係脱操作体４５は以上の手順と逆方向に回転操作されて図２に示した待機位置まで戻される。又、腕時計１１の分解後の組立の際、巻真通孔３４に巻真３１を挿通させると、巻真３１がムーブメント本体１３ａに挿入されて接続される直前に巻真３１の円錐台状部３１ａが係合部４１ｂを押上げる。これにより、係合部４１ｂが円錐台状部３１ａを乗り越えるので、この直後に、巻真３１がムーブメント本体１３ａに接続されるとともに、係合部４１ｂがストッパ係合部３２に落ち込んで引っ掛かる。
【００５６】
以上のように巻真３１の保持を解除する係脱操作体４５を、ワンピース構造の外装ケース２１の厚み方向に沿って、つまり、正面側から裏側に向けて、或いは裏側から正面側に向けて移動させるのではなく、外装ケース２１のケース胴部２２の外部から時計外装組立１２の半径方向に沿って移動させるので、この係脱操作体４５を文字板１３ｂに制約されることなく無関係に配設できる。これにより、係脱操作体４５が文字板１３ｂの大きさに制約を与えることがなく、文字板１３ｂの大きさの自由度が高められるので、それに伴い、文字板１３ｂの大きさを異ならせた様々な態様の腕時計１１を提供し易くできる。
【００５７】
しかも、時計ムーブメントが回転錘を備えた自動巻きの腕時計１１に本発明を適用した場合であっても、ワンピース構造である外装ケース２１の周部裏側にテーパ面２１ａを設けることについて、係脱操作体４５の配置が問題となることがない。これにより、時計外装組立１２の周部を薄く形成したデザインとした自動巻き式の腕時計１１を構成できる。
【００５８】
したがって、或る限られた大きさの時計外装組立１２において、文字板１３ｂが大きめで、かつ、時計外装組立１２の周部が薄く、それ故に、デザイン上薄く視認させ得る腕時計１１とすることができる。又、時計外装組立１２の半径方向に沿うケース胴部２２の肉厚Ａは、巻真３１及び竜頭３５を配置する必要から、ケース底壁２３の厚みＢに比較して十分厚く形成されていて、このケース胴部２２に係脱操作体４５を取付けるための肉厚を、ケース胴部２２に格別確保する必要がない。これにより、時計外装組立１２の径が大きくならない。
【００５９】
更に、前記腕時計１１では、ケース胴部２２に螺合された係脱操作体４５をコイルばね５７で付勢することで、ケース胴部２２への係脱操作体４５の螺合状態が保持されている。このため、腕時計１１に振動や衝撃が加わっても、或いはフランジ部４５ｄが不用意に胴内側に押されても、時計ムーブメント１３に向けて係脱操作体４５が移動することが抑制される。これにより、腕時計１１の分解を意図するとき以外に、係脱操作体４５の先細り状先端部４５ｃでストッパ部材４１が不用意に押されることがない。したがって、巻真３１が不用意に外れないようにできる。
【００６０】
図５は本発明の第２実施形態を示している。この第２実施形態では、係脱操作体４５の先細り状先端部４５ｃが半球状に形成されている。この点以外の事項は、図５に示されない部分を含めて第１実施形態と同じであるので、第２実施形態でも本発明の目的を達成できる。第５図において第１実施形態と同じ構成については、第１実施形態と同じ符号を付してある。
【００６１】
図６は本発明の第３実施形態を示している。
【００６２】
この第３実施形態において、ケース胴部２２に設けられた操作体取付け孔５１は、内面に雌ねじ部がない小径孔部５１ａとこれに連通した大径孔部５１ｂとから形成されている。又、係脱操作体４５は、軸部４５ａと、先細り状先端部４５ｃと、フランジ部４５ｄと、止め輪６１とから形成されている。止め輪６１は、先細り状先端部４５ｃの根元に取付けられていて、外周から張り出している。この係脱操作体４５では第１実施形態で説明した雄ねじ部４５ｂ及び操作部４５ｅは省略されている。
【００６３】
係脱操作体４５の軸部４５ａの中間部外周には弾性変形可能な防水リング６２が取付けられている。防水リング６２は小径孔部５１ａの内面に摺動可能に接触されているとともに、第１実施形態で説明した防水リング５５及びばね受けリング５６は省略されている。防水リング５５によって、操作体取付け孔５１についての防水・防塵が保証されている。
【００６４】
係脱操作体４５は、止め輪６１が取付けられていない状態で、フランジ部４５ｄと段部５１ｃとの間にコイルばね５７を挟みつつ、先細り状先端部４５ｃを大径孔部５１ｂから小径孔部５１ａに向けて貫通させてから、外装ケース２１の内部で止め輪６１を軸部４５ａに装着することによって、ケース胴部２２に取付けられる。この取付け状態では、コイルばね５７の弾性力で係脱操作体４５がケース胴部２２の外部に向けて付勢されるので、止め輪６１はケース胴部２２の胴内面２２ａに引っ掛かっている。更に、前記取付け状態では、フランジ部４５ｄがケース胴部２２の胴外面２２ｂに対して段部５１ｃ方向に寄せられて、胴外面２２ｂから外部に突出しないようになっている。
【００６５】
なお、以上説明した以外の事項は、図６に示されない部分を含めて第１実施形態と同じであるので、第３実施形態でも本発明の目的を達成できる。第６図において第１実施形態と同じ構成については、第１実施形態と同じ符号を付してある。
【００６６】
この第３実施形態で、腕時計１１を分解する際、時計ムーブメント１３から巻真３１を引き外す場合には、外装ケース２１の外側から係脱操作体４５をコイルばね５７の付勢力に抗して時計ムーブメント１３方向に押込んで移動させる。この移動は、軸部４５ａの先細り状先端部４５ｃがムーブメント本体１３ａの外側面に当たることで解除位置に停止され、かつ、作業者に知覚される。
【００６７】
こうした押込みに操作よって、軸部４５ａの先細り状先端部４５ｃがストッパ部材４１の受動部４１ａを押して、ストッパ部材４１全体が上げられるため、ストッパ部材４１の係合部４１ｂが巻真３１のストッパ係合部３２から外される。したがって、こうして巻真３１の軸方向に対する動きの拘束が解除された状態で、巻真３１を竜頭３５とともに引き動かすことによって、巻真３１をムーブメント本体１３ａから離脱させ、巻真通孔３４に通して外装ケース２１の外部に引き出すことができる。こうした巻真３１の引き外しは、外装カバー２５を外す前のコンプリート状態であっても、外装カバー２５を外した状態でも実施できる。
【００６８】
この後に、係脱操作体４５に対する押込み操作力を消失させると、係脱操作体４５はコイルばね５７の付勢力で自動的に戻され、係脱操作体４５が図６に示す待機位置まで戻された時点で、止め輪６１がケース胴部２２の胴内面２２ａに引掛かかるので、係脱操作体４５が抜けることはない。
【００６９】
そして、腕時計１１の通常の状態では係脱操作体４５が待機位置に配置さているが、そのフランジ部４５ｄは、胴外面２２ｂに対して陥没するように操作体取付け孔５１の段部５１ｃ側方向に寄っているので、係脱操作体４５が不用意に胴内側に押されることが抑制される。これにより時計ムーブメント１３に向けて係脱操作体４５が移動することが抑制されるので、巻真３１が不用意に外れないようにできる。
【図面の簡単な説明】
【００７０】
【図１】本発明の第１実施形態に係る腕時計を一部切欠いて示す平面図。
【図２】図１の腕時計が備える係脱操作体周りをこの係脱操作体が待機位置にある状態で図１中Ｆ−Ｆ線に沿って示す断面図。
【図３】図１の腕時計が備える係脱操作体周りをこの係脱操作体が解除位置にある状態で図１中Ｆ−Ｆ線に沿って示す断面図。
【図４】図１の腕時計が備える係脱操作体を一部断面して示す側面図。
【図５】本発明の第２実施形態に係る腕時計が備える係脱操作体周りをこの係脱操作体が待機位置にある状態で示す断面図。
【図６】本発明の第３実施形態に係る腕時計が備える係脱操作体周りをこの係脱操作体が待機位置にある状態で示す断面図。
【符号の説明】
【００７１】
１１…腕時計（携帯時計）
１２…時計外装組立
１３…時計ムーブメント
１３ａ…ムーブメント本体
１３ｂ…文字板
２１…外装ケース
２１ａ…外装ケースのテーパ面
２２…ケース胴部
２２ａ…ケース胴部の胴内面
２２ｂ…ケース胴部の胴外面
２３…ケース底蓋
３１…巻真（ムーブメント連動軸）
３２…ストッパ係合部
３４…巻真通孔
３５…竜頭（外部操作体）
４１…ストッパ部材
４１ｂ…係合部
４５…係脱操作体
４５ａ…係脱操作体の軸部
４５ｂ…係脱操作体の雄ねじ部
４５ｃ…係脱操作体の先細り状先端部
４５ｄ…係脱操作体のフランジ部
４５ｅ…係脱操作体の操作部
４５ｆ…係脱操作体の止め輪
５１…操作体取付け孔
５１ａ…操作体取付け孔の小径孔部
５１ｂ…操作体取付け孔の大径孔部
５１ｃ…操作体取付け孔の段部
５１ｄ…操作体取付け孔の雌ねじ部
５５…防水リング
５７…コイルばね（付勢体）
６１…止め輪
６２…防水リング
【図１】
2008026258.tif 000003
【図２】
2008026258.tif 000004
【図３】
2008026258.tif 000005
【図４】
2008026258.tif 000006
【図５】
2008026258.tif 000007
【図６】
2008026258.tif 000008